(57)【特許請求の範囲】
【請求項１】
適宜の表示具を係止し保持する表示具支持部を搭載している表示具支持部取付部と、
適宜の幕板面或いは壁面を含む任意の表示具取り付け可能面に接合固定可能な所定の幅と所定の長さを有する基板を有し、当該表示具支持部取付部を摺動可能に且つ着脱自在に係止する受け溝部が当該基板の周縁部の少なくとも一部に相互に対向する様に設けられていると同時に当該基板の周縁部の一部に当該表示具支持部取付部の落下防止部と当該表示具支持部取付部を当該溝部に挿入する為の挿入開口部とが設けられている係止部材と、
から構成されている表示具保持装置であって、
当該表示具支持部取付部は、
所定の幅と所定の長さを有する基底板と、
当該基底板の長手方向に沿った両端縁部からそれぞれ所定の幅だけ内側に入った位置で且つ同位置から当該基底板の当該端縁部に平行な線で規定される双方の部位から、所定の角度で又は所定の曲率で個別に且つ相互に対向する方向に上方に延展された一対の平板状或いは湾曲状の板状体が配置されており、当該一対の平板状或いは湾曲状の板状体が相互に接触する位置に所望の表示具が挿入されるスリット部が形成されている一対のスリット板状体と、
から構成されており、
当該基底板に於ける、当該一対のスリット板状体の基部と当該基底板との接合部の間に設けられた中央基底部の厚みを当該基底板の当該両端縁部及びその近傍部の厚みよりも厚く構成すると共に、当該中央基底部の当該スリット部に対向する面に当該中央基底部の長手方向に平行して配置された所定の深さを有する切溝部が設けられており、
更に、平板状の底板部と当該底板部から上方に突出した補助表示具支持部が設けられている補助表示具支持部材の当該底板部が、当該切溝部を被覆する様に配置されており、且つ、当該補助表示具支持部材の当該補助表示具支持部が、当該スリット板状体間に形成される当該スリット部と対向する様に配置されている事を特徴とする表示具保持装置。
【請求項２】
当該表示具支持部取付部に於ける、当該基底板の当該両端縁部及びその近傍部は、当該係止部材に形成されている当該溝部内に摺動、嵌合しうるように構成されている事を特徴とする請求項１に記載の表示具保持装置。
【請求項３】
当該切溝部の断面形状は、半円形、半楕円形、逆三角形、矩形、多角形、台形、逆台形等から選択された一つで構成されている事を特徴とする請求項１又は２に記載の表示具保持装置。
【請求項４】
当該補助表示具支持部材に於ける当該補助表示具支持部は、当該底板部と略直交して上方に突出延展されている一対の壁部を有し、且つ当該一対の壁部間に所定の当該表示具の一端部が挿入され且つ保持される把持具が配置されている事を特徴とする請求項１乃至３の何れかに記載の表示具保持装置。
【請求項５】
当該補助表示具支持部材は、当該補助表示具支持部材の当該平板状の底板部の両端縁部及びその近傍部が当該中央基底部の当該切溝部近傍に設けられている嵌合係止部によって保持固定されている事を特徴とする請求項１乃至４の何れかに記載の表示具保持装置。
【請求項６】
当該嵌合係止部は、当該補助表示具支持部材の当該平板状の底板部の両端縁部と嵌合しうる溝状部で構成されている事を特徴とする請求項５に記載の表示具保持装置。
【請求項７】
当該係止部材の当該溝部の高さが当該表示具支持部取付部の当該基底板の厚みと同一か或いは若干大きくなるように設定されており、且つ当該少なくとも一方の溝部内には、当該基底板の少なくとも一方の面と接触する突起部が設けられているか、或は当該係止部材の基板の当該基底板と対向する面の一部であって当該表示具支持部取付部落下防止部に近接する部位に少なくとも１つの突起部が設けられており、且つ当該表示具支持部取付部の当該基底板の裏面であって当該基板面と対向する面に於ける少なくとも１つの端部近傍に当該突起部と係合する突起係合部が設けられている事を特徴とする請求項１乃至６の何れかに記載の表示具保持装置。
【請求項８】
当該基底板の裏面に於ける当該突起係合部は、当該基底板の当該溝部への挿入離脱方向に対向する端部の少なくとも一方の端部に設けられている事を特徴とする請求項７に記載の表示具保持装置。
【発明の詳細な説明】
【技術分野】
【０００１】
本発明は、パチンコ機或いはスロットマシン若しくはゲーム機等の表示具或いは商店、デパート、スーパー、コンビニ、ディスカウントショップ等に於ける商品陳列棚や広告宣伝ボード等の表示具の保持装置に関するものである。
【背景技術】
【０００２】
従来から、パチンコ店等では、多数のパチンコ機或いはスロットマシン若しくはゲーム機等が配置され同時に稼動しており、それらのうちの個々のパチンコ機或いはスロットマシン若しくはゲーム機が現在どのような状体になっているかを知ることは、パチンコ店等の従業員にとっては、管理上必要なことであり、一方ユーザーにとってもその情報は、遊戯する上で貴重な情報である。
【０００３】
例えば、特定のパチンコ機或いはスロットマシン若しくはゲーム機が現在如何なる状態にあるのかを瞬時に従業員或いはユーザーが判別できるようにする為に、大型の表示板を使用するとか特定の色柄を持つフラグを立てるとかの方法を採用しており、且つそれぞれの表示具は頻繁に取り替えて使用するのが殆どである。
【０００４】
同様に、本屋に於ける書棚或いは商店、デパート、スーパー、コンビニ、ディスカウントショップ等に於ける商品陳列棚等でも、ベストセラー書物とか、チラシ広告商品、特売セール対象商品、更には日替わりサービス商品等を顧客に強くアッピールする為に、比較的大きな表示具を使用してセールスポイントを掲載した紙製、プラスチックフィルム製、或いはそれらの板状体を適宜の表示具支持部に差し込んで掲示しており、それを日替わり、週替わり等の時間間隔で頻繁に取替えながら使用している。
【０００５】
然しながら、一般的に使用されている当該表示具を所定の場所に掲示保持する表示具保持装置３１の一例としては、図７に示されている通り、パチンコ機或いはスロットマシン若しくはゲーム機３２等が配置されている幕板３０上に、主としてプラスチック製で一体的に成型された本体部２０を有し、当該本体部２０は、基板２１の両端部から所定の角度で個別に延展された一対の板状体２２、２３が相互に接触する位置２４から当該本体部２０の内部空間内を下方に向けて屈折されて形成された一対のスリット板状体２５、２６間に所望の表示具２を挿入して保持する様に構成された表示具保持装置３１が示されている。
【０００６】
然しながら、係る従来の表示具保持装置に於いては、当該スリット２９間に発生する当該表示具２の狭持把持力は、当該プラスチック材料の塑性、弾性による反発力のみであるから、挿入された当該表示具の表示プレート２を強く挟持することはできず、従って顧客の注意を引き付けられる大型の表示具或は重量感のある表示具等を使用することは困難であると共に、如何に通常の大きさの表示具を使用したとしても長期間使用している間に当該スリット部２９が徐々に開拡され、当該表示具２を保持する機能が失われるので、早期に交換する必要があるという問題があった。
【０００７】
図７中、４は表示具保持部の基底板であり、５は係止部材である。
又、当該表示具２も状況によって、種々の異なる表示具２を取替えて使用する必要があり、例えば、プラスチック板からなる表示具を使用していた後に旗を当該表示具として使用する場合等がありうるが、従来の表示具保持装置では、一つの表示具保持装置には多目的な機能を有するものがなく、従ってその場合も当該表示具保持装置の全てを交換する事が必要であった。
【０００８】
処で、上記した従来の表示具保持装置では、当該表示具保持装置を直接パチンコ機或いはスロットマシン若しくはゲーム機等に於いて使用される幕板或いは壁面或いは商店、デパート、スーパー、コンビニ、ディスカウントショップ等に於ける商品陳列棚等の側壁板面或いは壁面に直接螺子止め或いは両面接着材等で接合固定するものである。
【０００９】
従って、当該表示具保持装置を当該幕板或いは側壁板或いは壁面から取り外す際には、当該螺子を外す必要があり操作が複雑で時間が係るという問題の他、幕板或いは壁面の塗装や壁紙を破壊する事も多く、その補修にかなりのコストが係るという問題もあった。
【００１０】
従来、上記問題を解決する為に、例えば、実用新案登録第３１２１５２４号公報（特許文献１）、実用新案登録第３１２５２４０号公報（特許文献２）、実用新案登録第３１３００１８号公報（特許文献３）等が提案されているが、何れの提案も上記問題を完全に解決するには至っていなかった。
【００１１】
【特許文献１】実用新案登録第３１２１５２４号公報
【特許文献２】実用新案登録第３１２５２４０号公報
【特許文献３】実用新案登録第３１３００１８号公報
【発明の開示】
【発明が解決しようとする課題】
【００１２】
従って、本発明の目的は、上記した従来に於けるパチンコ機等或いは商品陳列台等に於ける表示具保持装置での問題点を解消し、構成が簡単で、安価でしかも、確実に然も容易に適宜の表示具を着脱自在に装着、取り替えが可能で、且つ大型或は重量のある表示具でも長期間効果的に保持する事が可能な表示具保持装置を提供するものである。
【課題を解決するための手段】
【００１３】
本発明は、上記目的を達成するために、以下に示す様な基本的技術構成を採用するものである。
即ち、本発明に係る表示具保持装置は、適宜の表示具を係止し保持する表示具支持部を搭載している表示具支持部取付部と、適宜の幕板面或いは壁面を含む任意の表示具取り付け可能面に接合固定可能な所定の幅と所定の長さを有する基板を有し、当該表示具支持部取付部を摺動可能に且つ着脱自在に係止する受け溝部が当該基板の周縁部の少なくとも一部に相互に対向する様に設けられていると同時に当該基板の周縁部の一部に当該表示具支持部取付部の落下防止部と当該表示具支持部取付部を当該溝部に挿入する為の挿入開口部とが設けられている係止部材と、から構成されている表示具保持装置であって、当該表示具支持部取付部は、所定の幅と所定の長さを有する基底板と、当該基底板の長手方向に沿った両端縁部からそれぞれ所定の幅だけ内側に入った位置で且つ同位置から当該基底板の当該端縁部に平行な線で規定される双方の部位から、所定の角度で又は所定の曲率で個別に且つ相互に対向する方向に上方に延展された一対の平板状或いは湾曲状の板状体が配置されており、当該一対の平板状或いは湾曲状の板状体が相互に接触する位置に所望の表示具が挿入されるスリット部が形成されている一対のスリット板状体と、から構成されており、当該基底板に於ける、当該一対のスリット板状体の基部と当該基底板との接合部の間に設けられた中央基底部の厚みを当該基底板の当該両端縁部及びその近傍部の厚みよりも厚く構成すると共に、当該中央基底部の当該スリット部に対向する面に当該基底部の長手方向に平行して配置された所定の深さを有する切溝部が設けられており、更に、平板状の底板部と当該底板部から上方に突出した補助表示具支持部が設けられている補助表示具支持部材の当該底板部が、当該切溝部を被覆する様に配置されており、且つ、当該補助表示具支持部材の当該補助表示具支持部が、当該スリット板状体間に形成される当該スリット部と対向する様に配置されている表示具保持装置である。
【発明の効果】
【００１４】
本発明に於ける当該表示具保持装置は、上記した様な技術構成を採用しているので、構成が簡単で、安価でしかも、確実に当該表示具を把持する事が可能となり、然も、当該表示具保持装置の従来の表示具保持装置に比べて格段に大きく、然も当該把持力が長期間に亘って十分に維持する事が可能となるので、大型で重量のある表示具でも確実に長期間保持する事ができ、又、当該表示具保持装置が把持力を喪失した表示具支持部を、新たな表示具支持部と着脱自在に容易に且つ迅速に取り替えが可能な表示具保持装置が得られるのである。
【００１５】
然も、本発明では、当該表示具を保持する機能に優れ然も長期間に亘って、当該保持力を高度に維持する事が出来るので、維持コストが安く然も経済的であるという効果を有するものである。
【発明を実施するための最良の形態】
【００１６】
以下に、本発明にかかる表示具保持装置の具体的な構成の例を図面を参照しながら詳細に説明する。
即ち、図１（Ａ）、図１（Ｂ）及び図１（Ｃ）は、本発明に係る表示具保持装置１の一具体例の構成を示すものであって、図中、適宜の表示具２を係止し保持する表示具支持部３を搭載している表示具支持部取付部１０と、適宜の幕板面或いは壁面を含む任意の表示具取り付け可能面３０に接合固定可能な、所定の幅と所定の長さを有する基板６を有し、当該表示具支持部取付部１０を摺動可能に且つ着脱自在に係止する受け溝部７が当該基板６の周縁部の少なくとも一部に相互に対向する様に設けられていると同時に当該基板６の周縁部の一部に当該表示具支持部取付部１０の落下防止部８と当該表示具支持部取付部１０を当該溝部７に挿入する為の挿入開口部９とが設けられている係止部材５とから構成されている表示具保持装置１であって、当該表示具支持部取付部１０は、所定の幅と所定の長さを有する基底板１２と、
【００１７】
当該基底板１２の長手方向に沿った両端縁部１３からそれぞれ所定の幅だけ内側に入った位置Ｐで且つ、同位置から当該基底板１２の長手方向Ｓに且つ当該端縁部１３に平行な線で規定される双方の部位Ｑから、所定の角度で、或いは所定の曲率で個別に且つ相互に対向する方向に上方に延展された一対の平板状或いは湾曲状の板状体１４、１５が配置されており、当該一対の平板状或いは湾曲状の板状体１４、１５が相互に接触する位置Ｒに所望の表示具２が挿入されるスリット部１６が形成されている一対のスリット板状体１４、１５と、当該基底板１２に於ける当該一対のスリット板状体１４、１５の基部１７と当該基底板１２との接合部１８の間に設けられた中央基底部１９の厚みを当該基底板１２の当該両端縁部１３及びその近傍部の厚みよりも厚く構成すると共に、当該中央基底部１９の当該スリット部１６に対向する面に当該基底部１２の長手方向に平行して配置された所定の深さを有する切溝部３４が設けられており、更に、平板状の底板部３５と当該底板部３５から上方に突出した補助表示具支持部３６が設けられている補助表示具支持部材３７の当該底板部３５が、当該長手切溝部３４を被覆する様に配置されており、且つ、当該補助表示具支持部材３７の当該表示具保持部３６が、当該スリット板状体１４、１５間に形成される当該スリット部１６と平行して対向する様に配置されている表示具保持装置１が示されている。
【００１８】
本発明に於いて使用される当該表示具２の材料、形状或いはサイズ等は特に限定されるものではなく、任意の形状或いは大きさのものが使用でき、又当該表示具２に示される表示内容も特定されるものではない。
【００１９】
又、本発明に於いて使用される当該表示具２は、例えば、適宜の紙或いはフィルムに適宜の文字或いは画像を表示したもの或いはそれらの表裏両面に適宜の合成樹脂からなるカバーフィルム等でサンドイッチ状に相互に張り合わせラミネート加工により構成されたもの等が使用出来る。
【００２０】
本発明に於ける当該表示具保持装置１を構成する当該表示具支持部３及び当該係止部材５の全ての構成材料は、特に限定されないが、金属材料、合成樹脂材料、複合材料等が使用されるが、特には合成樹脂材料で構成されることが望ましく、例えば、アクリル系合成樹脂、ＡＢＳ系合成樹脂、ポリカーボネート系合成樹脂等が使用可能であり、又金属としては、アルミや鉄が使用可能である。
【００２１】
本発明に於ける上記部材を適宜のプラスチック製材料で製造する場合には、一体的に成形加工されたものであってもよく或は、複数個の部材を別々に成形したものを組み合わせたものであっても良い。
【００２２】
本発明に於いては、種々の大きさを有する当該表示具支持部３や複数の同一構成を有する当該表示具支持部３を有する当該表示具支持部取付部１０を予め用意しておくと同時に、所定の表示具２を掲示する必要のある壁面或は膜板部３０に当該係止部材５を予め取り付けておき、所定の表示具２の形状或はサイズに適合する表示具支持部３を有する当該表示具支持部取付部１０を選択して当該係止部材５に挿入して掲示操作を実行するものであって、当該表示具２の形状や大きさが変更された場合に、適切な構造を有する表示具支持部３を有する表示具支持部取付部１０を適宜選択して現在使用中の当該表示具支持部取付部１０と交換するか、或いは現在使用中の当該表示具支持部３に於ける表示具把持力が低下した場合には、同一の形状の表示具支持部３を有する表示具支持部取付部１０で新品の表示具支持部取付部１０を現在使用中の当該表示具支持部取付部１０と交換する様に使用するものである。
【００２３】
本発明の特徴は、上記交換操作に際して、容易に且つ短時間に交換することが可能でコストがかからない表示具保持装置１が提供される事である。
一方、当該係止部材５は、そのものを継続的に使用することになるので、その数が制限できるので、コスト的には安価となる。
【００２４】
一方、本発明に於いて使用される当該係止部材５は、その形状、大きさは特に限定されるものではなく、使用用途或いは使用場所、或いは使用される当該表示具支持部３の大きさ等によって適宜変更して使用する事が出来る。
【００２５】
又、本発明に於いては、当該係止部材５の構成に関しては、特には限定されないが、例えば、図１（Ｂ）に示す様に、適宜の幕板面或いは壁面を含む任意の表示具取り付け可能面３０に接合固定可能な基板６を有し、当該表示具支持部３を有する表示具支持部取付部１０を摺動可能に且つ着脱自在に係止する受け溝部７が当該基板６の周縁部の少なくとも一部、例えば、当該基板６の左右両側８１、８２の一部若しくは全部の範囲に、その溝開口部７１、７２が相互に対向する様に設けられている事が望ましい。
【００２６】
当該溝部７の断面形状は図３に示す様なコの字型の断面形状を有するもので有っても良く、或いはその断面が湾曲状を呈するもの或いはその他の断面形状を呈するもので有っても良いことは言うまでも無い。
【００２７】
更に、本発明に於ける当該係止部材５に於いては、当該基板６の周縁部の一部、つまり、当該係止部材５の当該基板６に於ける最下端部８３に適宜の当該表示具支持部取付部１０が当該溝部から落下、脱落しない様にするための落下防止部材８が設けられていると共に、当該表示具支持部取付部１０を当該溝部７内に挿入する為の挿入開口部９が、当該落下防止部材８と対向して当該係止部材５の当該基板６の上端縁部に設けられている事が望ましい。
【００２８】
更に、本発明に於ける当該係止部材５は、図示の様に、当該挿入開口部９を垂直上方に位置する様に、螺子手段８５、８７或いは両面接着テープ等の接着手段８６を利用して、当該表示具２取り付け可能面３０に接合固定されるものである。
即ち、本発明に於ける当該係止部材５の当該基板６には、適宜の個数の螺子孔部８７を予め設けておくことも可能であり、又図３（Ｂ）に示す様に、当該基板６の当該表示具取り付け可能面３０と対向する面４５に予め両面接着テープ８６等を貼着させておく事も可能である。
【００２９】
即ち、本発明に於ける当該表示具保持装置１は、実際の使用態様は、図１（Ｃ）に示に示す通りであるが、より具体的には、予め所望の構造を有する選択された当該表示具支持部３が搭載されている当該表示具支持部取付部１０を、予め適宜の幕板或いは壁面３０に固定されている当該係止部材５の当該溝部７内に嵌合する様に、当該平板挿入開口部９から摺動挿入させることにより表示具保持装置１が完成する。
【００３０】
更に、本発明に於ける当該係止部材５の当該少なくとも一方の溝部７内には、図３に示す様に、当該基底板１２の少なくとも一方の面と接触する突起部１００が設けられているものであり、当該突起部１００の形状或いは高さ及びその配置位置は特に限定されるものではないが、好ましくは、当該溝部７内の当該底部に近接する部分である事が望ましく、又その高さは、０．１乃至０．３ｍｍ程度である事が望ましい。
【００３１】
係る突起部１００は、当該突起部１００により当該溝部７内に挿入されてきた当該表示具支持部取付部１０の基底板１２の端縁部の先端部が上方に持ち上げられ、当該溝部の内壁部と強く接触する事によって、固定効果が発生するので、当該表示具支持部取付部１０の安定状態が確保されると同時に脱落やすれ発生の危険も回避できる。
【００３２】
又、本発明に於ける当該突起部１００は、図３に示す様に、単に点状ではなく、当該表示具支持部取付部１０の当該溝部７への挿入方向に沿ってその高さＬが徐々に増加するテーパー部８８が形成されている事も望ましい。
【００３３】
後述する様に、本発明で使用される当該表示具支持部取付部１０に於ける当該基底板１２の厚みＴは、特に限定されるものではないが、例えば、１．９ｍｍに設定する事が可能である。
【００３４】
従って、当該基底板１２の厚みＴが上記の設定である場合には、当該係止部材５の溝部７の高さＬも１．９ｍｍ若しくはそれよりも若干長くなるように設定される事が望ましい。
【００３５】
更に、本発明に於ける当該係止部材５の当該少なくとも一方の溝部７内には、当該表示具支持部取付部１０の当該基底板１２の少なくとも一方の面と接触する突起部１００が設けられているものであり、当該突起部１００の形状或いは高さ及びその配置位置は特に限定されるものではないが、好ましくは、当該溝部７内の当該底部に近接する部分である事が望ましく、又その高さは、０．１乃至０．３ｍｍ程度である事が望ましい。
【００３６】
更に、別の具体例としては、図４に示す様に、本発明に於ける当該係止部材５の基板６が、当該基底板１２と対向する面４１の一部であって当該表示具支持部取付部１０の落下防止部８に近接する部位に少なくとも１つの突起部１００が設けられているものであっても良い。
【００３７】
当該突起部１００は、図４に示す様に、当該基板６の面４１に於ける当該両溝部７間の略中央部であることが望ましいがこれに限定されるものではなく、又その個数も１個のみでなく複数個設ける事も可能である。
【００３８】
又、当該突起部１００は、当該表示具支持部取付部１０の落下防止部８から数ｍｍ離れて配置されている事が好ましい。
又、当該突起部１００の高さ或は断面形状も特に限定されるものではないが、その高さは、当該表示具支持部取付部１０の当該基底板１２の厚み及び当該溝部７の高さ等を勘案して設定される事が望ましく、実際には、数ｍｍ以下である事が好ましい。
【００３９】
更に当該突起部１００の断面形状は例えば、半円形、半楕円形、三角形或はこれらの変形形状のいずれか１つで構成されている事が望ましく、後述する当該表示具支持部取付部１０に設けられる当該突起係合部１０１との間で相互に係合離脱が容易に実行できる様な形状を採用する事が好ましい。
【００４０】
一方、本発明の当該表示具支持部取付部１０に於ける、当該基板６の一方の面４１と対向する面４２に於ける少なくとも１つの端部４３の近傍に当該突起部１００と係合する突起係合部１０１が設けられる事が望ましく、その配置位置は、当該基板６に設けられている当該突起部１００の配置位置との関係で決定される事が望ましい。
【００４１】
かかる構成を採用する事によって、当該表示具支持部取付部１０は図４（Ｃ）に示す様に当該突起部１００と当該突起係合部１０１とが相互に係合しあって当該溝部７内に係止固定される。
【００４２】
又、本発明における当該突起係合部１０１は、当該表示具支持部取付部１０の当該溝部７への挿入離脱方向に対向する端部４３の少なくとも一方の端部に設けられることが望ましく、場合によっては、双方の端部４３に設ける事も可能である。
次に、本発明に於ける当該表示具支持部３を含む表示具支持部取付部１０の構成の具体例を詳細に説明する。
【００４３】
即ち、図１（Ａ）、図２（Ａ）及び図２（Ｂ）から明らかな通り、本発明に係る当該表示具支持部取付部１０の一具体例の構成は、適宜の表示具２を係止し保持する表示具支持部３を搭載している基底板１２の長手方向（Ｓ）に沿った両縁端１３から内側に所定の長さ延展して形成されている平面状部４０を有し、当該平面状部４０の長手方向（Ｓ）に沿った両端縁部を含む当該平面状部４０が、当該係止部材５の溝部７に挿入される溝挿入部として機能している。
【００４４】
尚、上記した通り、当該溝部７の高さＬが当該表示具支持部３における当該平面状部４０の厚みＴと同一か或いは若干大きくなるように設定されている。
更に、当該表示具支持部取付部１０に於いては、当該基底板１２の長手方向Ｓに沿った両端縁部１３からそれぞれ所定の幅だけ内側に入った位置Ｐで且つ当該基底板１２の長手方向Ｓに沿い、且つ当該端縁部１３に平行に形成されている双方の線部Ｑから、所定の角度で斜め状に個別に略同一の角度を以って、或は、略同一の湾曲率を有して、且つ相互に対向する方向に上方に延展された一対の平板状或いは湾曲状の板状体であるスリット板状体１４、１５が配置されている。
【００４５】
即ち、図２（Ａ）は、一対のスリット板状体１４、１５のそれぞれが、互いに同一の所定の曲率或いは湾曲形状を以って上方に延展された例を示し、図２（Ｂ）は、平板状のスリット板状体１４、１５が、互いに同一の角度を以って上方に延展された例を示している。
【００４６】
当該スリット板状体１４、１５は、当該基底板１２の上方の所定の部位Ｒで相互に接触当接して所望の表示具２が挿入されるスリット部１６を形成している。
当該スリット部１６は、例えば、当該基底板１２の当該部位Ｐから所定の角度或は所定の曲率で個別に延展された一対の板状体１４、１５が相互に接触する位置Ｒから当該スリット板状体１４、１５の内部空間内を下方に向けて屈折されて形成されたものであっても良く、或は当該一対のスリット板状体１４、１５の各先端部に適宜のローラー等の当該表示具２挿入を容易にする機構を設けるものであっても良い。
【００４７】
一方、本発明に於いては、当該基底板１２に於ける、当該一対のスリット板状体１４、１５の基部１７と当該基底板１２との接合部１８の間の中央基底部１９の厚みを当該基底板１２の当該両端縁部１３及びその近傍部の厚みよりも厚く構成する事が望ましく、例えば、前記した平面状部４０の厚みに対して、少なくとも１．５倍、好ましくは少なくとも４倍の厚みとする事が望ましい。
【００４８】
係る構成によって当該スリット板状体１４、１５の当該接合部１８近傍に於ける塑性変形による当該表示具２の把持力の低減が大幅に改善されることになる。
更に、本発明に於いては、当該中央基底部１９の当該スリット部１６に対向する面に当該基底部１２の長手方向（Ｓ）に平行して所定の深さを有する長手切溝部３４を連続的或は間歇的に設ける事が望ましい。
【００４９】
当該長手切溝部３４の形状や大きさは特に限定されるものではないが、その断面形状は、例えば、図５に例示される様に、半円形、逆三角形、矩形、楕円形、台形、逆台形、多角形等の何れか一つが選択出来る。
【００５０】
係る切溝部３４を設けることによって、当該中央基底部１９は、当該切溝部３４の幅を減少させる方向に変形する傾向を示すので、当該スリット板状体１４、１５を相互に接触させるバイアス力が常時付与されるものと推定される。
【００５１】
又、当該スリット板状体１４、１５が当該表示具２を挟み込んだ場合に当該スリット板状体１４、１５の基部１８の部分で変形する際に、当該中央基底部１９が当該長手切溝部３４を中心に外側に多少変形することから、当該スリット板状体１４、１５の基部１８に掛かる力が緩和されるものと推定される。
【００５２】
更に、本発明に於いては、例えば、当該長手切溝部３４の少なくとも一部、好ましくはその全面を被覆する事が望ましく、具体的には、例えば、図１に示す様に、平板状の底板部３５と当該底板部３５から上方に突出した補助表示具支持部３６が設けられている補助表示具支持部材３７の当該底板部３５を、当該長手切溝部３４の上面に配置し、当該長手切溝部３４を被覆する様にするものである。
【００５３】
本発明に於いて使用される当該補助表示具支持部材３７の構造は特に限定されるものではないが、当該補助表示具支持部材３７に於ける当該補助表示具支持部３６は、図６に例示される様に、当該底板部３５と略直交して上方に突出延展されている一対の壁部３６を有し、且つ当該一対の壁部３６間に所定の当該表示具２の一端部が挿入され且つ保持される把持具５５が配置されているものである事が望ましい。
【００５４】
本発明に於いて、当該表示具支持部３内部に当該補助表示具支持部材３７を配置する場合には、当該補助表示具支持部３６の長手方向線が当該スリット板状体１４、１５間に形成される当該スリット部１６の真下に相互に平行状に対向する様に当該補助表示具支持部材３７を当該長手切溝部３４を含む当該中央基底部１９上面に当接配置するものである。
【００５５】
当該補助表示具支持部材３７は、当該長手切溝部３４と一体的に成形加工して構成したものであっても良く、当該補助表示具支持部材３７と当該長手切溝部３４とを接着或は溶着等によって固定したものであっても良い。
【００５６】
又、本発明に於ける別の具体例にあっては、当該補助表示具支持部材３７は、図２（Ａ）及び図２（Ｂ）に示す様に、当該補助表示具支持部材３７の当該平板状の底板部３５の両端縁部５１及びその近傍部が当該中央基底部１９の上面に設けられている適宜の嵌合係止部５２内に挿入されて当該嵌合係止部５２によって保持固定されているものであっても良い。
【００５７】
上記具体例に於ける、当該嵌合係止部５２は、当該補助表示具支持部材３７の当該平板状の底板部３５の両端縁部５１と嵌合しうる溝状部５２で構成されているものであっても良い。
【００５８】
係る構成により、表示具２は少なくとも２段の保持具により保持される事になるので、表示具保持力が格段に向上する。
更に、本発明に於いては補助表示具支持部材３７の構成は、特に限定されるものではなく、当該スリット部１６から挿入されてきた当該表示具２の端部を狭持して固定保持する機能を有するものであれば如何なる構造のものでも使用可能である。
【００５９】
又、当該補助表示具支持部３６の高さも特に限定されるものではなく、当該底板部３５の上面から任意の高さを有し上方に延展され手いるものであっても良い。
一方、本発明に於ける当該補助表示具支持部３６の構成の具体例としては、例えば、図６に示す様に、一対の直立した壁部３６の間に当該表示具２の端部を挿入し、保持するためのスリット５４が形成されており、当該スリット５４内部に適宜の表示具２の端部を把持する把持具５５が設けられている事が好ましい。
【００６０】
具体的には、当該把持具５５は、図６（Ａ）に示す様に、少なくとも一方の壁部３６から対向する壁部３６に向けて突出している突起部５５−１であってもよく、或は図６（Ｂ）に示す様に、一対の回転式のローラー５５−２であっても良い。
【００６１】
更には、当該把持具５５は、図６（Ｃ）に示す様に、双方の壁部３６に設けられた磁石５５−３であってもよく、或は、図６（Ｄ）或いは図６（Ｅ）に示す様に、細幅の長手方向（Ｓ）に延展された板状物５５−４、５５−５を複数段に配置したものであっても良い。
【００６２】
本発明に係る表示具保持装置１は、上記した構成を採用しているので、当該スリット部１６に所定の表示具２が挿入されたとしても、当該スリット板状体１４、１５の基部１７は、厚みのある中央基底部１９によって支えられているので、当該表示具２が挿入されて当該スリット板状体１４、１５が外側に変位したとしても、元の位置に戻る力が強く発揮され、然も当該中央基底部１９に設けられた当該長手切溝部３４と当該補助表示具支持部材３７との結合構造が当該基底板１２を当該スリット部１６の方向に湾曲させる方向の力を発揮させるように作用する事も加わって、当該表示具支持部３の当該スリット部１６における当該表示具２の把持力を向上させ且つその把持力を長期間保持する事が可能となったのである。
【図面の簡単な説明】
【００６３】
【図１】図１は、本発明に於ける表示具保持装置の一具体例の構成を説明する斜視図である。
【図２】図２は、本発明に於ける表示具保持装置の他の具体例の構成を説明する断面図である。
【図３】図３は、本発明に於ける係止部材５の一具体例の構成を示す断面図である。
【図４】図４は、本発明に於ける係止部材５の他の具体例の構成を示す断面図である。
【図５】図５は、本発明に於ける長手切溝部３４の具体例の構成を示す断面図である。
【図６】図６は、本発明に於ける補助表示具支持部材３７の具体例の構成を示す断面図である。
【図７】図７は、従来の表示具保持装置の構成を示す斜視図である。
【符号の説明】
【００６４】
１、３１．  表示具保持装置
２．  表示具
３．  表示具支持部
４．  基底板
５．  係止部材
６．  基板
７．  溝部
８．  係止部材落下防止部
９．  挿入開口部
１０．  表示具支持部取付部
１２．  基底板
１３．  端縁部
１４、１５．  スリット板状体
１６．  スリット部
１７．  基部
１８．  接合部
１９．  中央基底部
３４．  切溝部
３５．  底板部
３６．  補助表示具支持部
３７．  補助表示具支持部材
４０．  平面状部
４１．  基底板と対向する面
４２．  基板の一方の面と対向する面
４３．  端部
４５．    基板の表示具取り付け可能面と対向する面
５１．  両端縁部
５２．  嵌合係止部
５５．  把持具
７１、７２．  溝開口部
８１、８２．  基板の左右両側
８３．  最下端部
８５．  螺子手段
８６．  接着手段
８７．  螺子孔部
１００．  突起部
１０１．  突起係合部
【図１】
0005025445.tif 000002
【図２】
0005025445.tif 000003
【図３】
0005025445.tif 000004
【図４】
0005025445.tif 000005
【図５】
0005025445.tif 000006
【図６】
0005025445.tif 000007
【図７】
0005025445.tif 000008